(57)【特許請求の範囲】
【請求項１】
演奏イベントデータと楽曲再生時における楽曲全体の再生進行態様を制御するための全体制御データとを備える楽曲データを表示する楽曲データ表示装置において、
前記全体制御データは複数の種類のデータを備え、
前記複数種類の全体制御データの中から表示する全体制御データの種類を選択する選択手段と、
前記複数の全体制御データの種類毎に設けられた複数の表示部であって、前記選択手段による表示する全体制御データの種類の選択に応じて、該選択に対応する表示部が表示されるよう制御されるものを表示する表示部表示手段と、
前記選択された種類の全体制御データを前記楽曲データから検出する検出手段と、
前記検出された全体制御データを当該全体制御データの種類に対応する前記表示部上に表示するデータ表示手段と
を備えることを特徴とする楽曲データ表示装置。
【請求項２】
楽曲再生時における楽曲全体の再生進行態様を制御するための全体制御データであって、複数の種類のデータを備えるものと、演奏イベントデータとを備える楽曲データを表示するコンピュータを、
前記複数種類の全体制御データの中から表示する全体制御データの種類を選択する選択手段、
前記複数の全体制御データの種類毎に設けられた複数の表示部であって、前記選択手段による表示する全体制御データの種類の選択に応じて、該選択に対応する表示部が表示されるよう制御されるものを表示する表示部表示手段、
前記選択された種類の全体制御データを前記楽曲データから検出する検出手段及び
前記検出された全体制御データを当該全体制御データの種類に対応する前記表示部上に表示するデータ表示手段
として機能させることを特徴とする楽曲データ表示プログラム。
【発明の詳細な説明】
【０００１】
【発明の属する技術分野】
本発明は、楽曲データの作成や編集を行う際の楽曲データの表示態様を改善し、該楽曲データの作成や編集を行う際のユーザビリティの向上を図る楽曲データ表示装置及び楽曲データ表示プログラムに関する。
【０００２】
【従来の技術】
従来より、ユーザがコンピュータの表示画面上で楽曲データの編集又は作成を行うために使用するシーケンスソフトが知られている。このシーケンスソフトは、ＧＵＩ（Graphical User Interface）を使っており、初心者でも楽曲データの編集又は作成を行い易いように工夫が施されている。また、シーケンスソフトは、コンピュータに組み込まれて使用されるため、専用機としてのシーケンサーと比べて、コンピュータの大画面により情報量や表示が豊富であること、及びバージョンアップによる機能向上が容易であること等のメリットがある。
【０００３】
図５は、従来のシーケンスソフトの表示例を示す図である。
【０００４】
同図において、符号１００はマスタートラックであり、符号１０１はＭＩＤＩデータやＷＡＶＥデータを簡略的に矩形表示したブロックである。
【０００５】
マスタートラック１００は、ＭＩＤＩデータやＷＡＶＥデータの反復記号、マーカー及びループポイント等をまとめて表示する欄である。
【０００６】
同図のマスタートラック１００において、符号「‖:」、「:‖」、「Ｄ．Ｃ」は反復記号を示し、符号「Ｓ」、「Ｅ」はループポイントを示し、符号「▽」はマーカーを示し、数字「１」、「５」は小節番号を示す。
【０００７】
また、マスタートラック１００は、反復記号、マーカー及びループポイント等の情報がない場合であっても、常に表示されている。
【０００８】
【発明が解決しようとする課題】
しかしながら、マスタートラック１００に反復記号、マーカー及びループポイント等の情報がないにもかかわらず、マスタートラック１００を表示することは、不要な情報を表示することに繋がり、上述した情報量や表示が豊富にできるというメリットを損なうことになる。
【０００９】
また、図５に示すように、マスタートラック１００に反復記号、マーカー及びループポイント等の複数の情報を混在表示すると、それぞれの情報を識別しにくいという問題が生じる。
【００１０】
本発明は、かかる点に鑑みてなされたものであり、楽曲データの作成や編集を行う際に、ユーザビリティの向上を図ることができる楽曲データ表示装置及び楽曲データ表示プログラムを提供することを目的とする。
【００１１】
【課題を解決するための手段】
上記目的を達成するために、請求項１記載の楽曲データ表示装置は、演奏イベントデータと楽曲再生時における楽曲全体の再生進行態様を制御するための全体制御データとを備える楽曲データを表示する楽曲データ表示装置において、前記全体制御データは複数の種類のデータを備え、前記複数種類の全体制御データの中から表示する全体制御データの種類を選択する選択手段と、前記複数の全体制御データの種類毎に設けられた複数の表示部であって、前記選択手段による表示する全体制御データの種類の選択に応じて、該選択に対応する表示部が表示されるよう制御されるものを表示する表示部表示手段と、前記選択された種類の全体制御データを前記楽曲データから検出する検出手段と、前記検出された全体制御データを当該全体制御データの種類に対応する前記表示部上に表示するデータ表示手段とを備えることを特徴とする。
【００１３】
請求項２記載の楽曲データ表示プログラムは、前記請求項１記載の楽曲データ表示装置と同様の動作をコンピュータに実行させることを特徴とする。
【００１４】
【発明の実施の形態】
以下、本発明の実施の形態について図面を参照して説明する。
【００１５】
図１は、本発明の実施の形態に係る楽曲データ表示装置の概略ハードウェア構成を示すブロック図である。
【００１６】
本発明の実施の形態に係る楽曲データ表示装置は、例えば、パーソナルコンピュータ（ＰＣ）１で構成される。
【００１７】
ＰＣ１は、ＰＣ１全体の動作を制御するＣＰＵ２を備えており、ＣＰＵ２には通信バス１７を介してＲＡＭ３、ＲＯＭ４、ＭＩＤＩインターフェース（Ｉ／Ｆ）５、操作回路６、表示回路７、音源回路８、外部記憶装置９、通信インターフェース（Ｉ／Ｆ）１０及びタイマ１１がそれぞれ接続されている。
【００１８】
ＲＡＭ３は、楽曲に関する各種情報やＣＰＵ２が各種プログラムを実行する際に発生する各種データを一時的に記憶する。ＲＯＭ４は、ＣＰＵ２により実行又は参照される各種プログラムや各種データを記憶する。ＭＩＤＩインターフェース（Ｉ／Ｆ）５は、電子楽器１２を通信バス１７に接続するためのインターフェースであり、電子楽器１２とＰＣ１との間でＭＩＤＩ信号を通信するために使用される。操作回路６は操作子１３を通信バス１７に接続し、操作子１３、例えばマウスやキーボード等からの入力データを通信バス１７を介してＣＰＵ２に出力する。表示回路７は表示装置１４を通信バス１７に接続し、例えば、楽曲データ等の各種データを表示装置１４に出力し、表示装置１４は表示回路７から出力された楽曲データ等の各種データを表示する。音源回路８は、楽曲データを通信バス１７を介して入力し、この楽曲データに基づいて楽音信号をサウンドシステム１５に出力する。サウンドシステム１５は、この入力された楽音信号を発生する。タイマ１１はＣＰＵ２で実行されるタイマ割込処理等で使用される。
【００１９】
外部記憶装置９は、例えば、楽曲データ等の各種データやＣＰＵ２により実行又は参照される各種プログラムを記憶させておき、それをＲＡＭ３に読み込むことにより、ＲＯＭ４が各種プログラムを記憶している場合と同様の動作をＣＰＵ２にさせることができる。このようにすると、各種プログラムの追加やバージョンアップ等が容易に行える。
【００２０】
通信Ｉ／Ｆ１０は、インターネットや商用ネットワーク等からなる通信ネットワーク１６に接続されており、本ＰＣ１はこの通信ネットワーク１６を介して図示しない他のＰＣ等に接続されている。これにより、図示しない他のＰＣ等から各種データや各種プログラムをダウンロードできる。
【００２１】
ＭＩＤＩ・Ｉ／Ｆ５は、専用のＭＩＤＩ・Ｉ／Ｆを用いるものに限らず、ＲＳ２３２−Ｃ、ＵＳＢ、又はＩＥＥＥ１３９４等の汎用Ｉ／Ｆを用いてＭＩＤＩ・Ｉ／Ｆを構成するようにしてもよい。この場合、ＭＩＤＩ信号以外のデータをも同時に送受信するようにしてもよい。
【００２２】
図２は、本発明において採用する楽曲データのデータ構成を概念的に示すブロック図である。
【００２３】
同図において、楽曲データは通常のＳＭＦ(Standard MIDI File)で構成されており、大別すると、１つのマスタートラックデータと複数のトラックデータとに分けられる。トラックデータは、再生する楽曲の発音の内容に係る演奏イベントデータと、該演奏イベントデータをいずれのタイミングで再生処理するかを決定する処理タイミングデータとを演奏順に記録している。
【００２４】
マスタートラックデータは、ループポイントデータと、反復記号データと、マーカーデータと、拍子進行データと、テンポ進行データとを備えており、これらのデータは上記複数のトラックデータに共通に利用される、楽曲全体の再生態様を制御するためのデータ（全体制御データ）である。
【００２５】
ループポイントデータは繰り返して演奏を再生する区間の開始位置と終了位置とを指示するデータであり、反復記号データは反復して演奏する場所と回数を指示する音楽記号に相当するデータであり、マーカーデータは表示装置１４に表示された楽曲データの任意の位置を指示するためのデータである。拍子進行データは楽曲の拍子を設定するためのデータであり、テンポ進行データは楽曲のテンポを設定するためのデータである。拍子進行データとテンポ進行データはそれぞれ楽曲の進行に対応させて、拍子やテンポが変更される位置（タイミング）と変更後の値を記録したものである。
【００２６】
図３は、ＰＣ１においてシーケンスソフトを起動したときの表示装置１４の表示画面の例を示す図である。図３（Ａ）は、マスタートラック表示部２０が表示されず、小節番号表示部３０のみが表示されている例を示し、（Ｂ）はマスタートラック表示部２０に含まれるループ表示部３１、反復記号表示部３２、マーカー表示部３３、テンポ表示部３４及び拍子表示部３５が表示されている例を示す。
【００２７】
図３（Ａ），（Ｂ）に示すように、演奏イベントデータは、ブロック１〜ブロック４として矩形表示されている。小節番号表示部３０に記載されている数字「１」〜「７」は小節番号を示す、即ち、これらの数字に沿って、時間が進行することになる。従って、例えば、ブロック１は、単に演奏イベントデータを示すだけでなく、第１小節及び第２小節で再生することを示す、即ち処理タイミングデータをも示している。尚、楽曲データの表示画面は、図３（Ａ），（Ｂ）に示す表示例に限られず、演奏イベントを時間軸に沿って表示するものであればどのようなものであってもよい。例えば、演奏イベントを時間軸に沿って表示するものであれば、ブロック毎ではなく、音高ナンバーやベロシティーナンバー等を細かく表示するものでもよい。
【００２８】
また、図３（Ｂ）において、ループ表示部３１には、繰り返して演奏を再生する区間の開始位置が符号「Ｓ」で示され、該区間の終了位置が符号「Ｅ」で示されている。従って、図３（Ｂ）では、ブロック３及びブロック４の第５小節と第６小節とが繰り返して演奏される。尚、図３（Ｂ）では、再生する区間の指示方法として、符号「Ｓ」，「Ｅ」を使用しているが、これに限らず、該区間の指示前の色（例えば白色）を異なる指示後の色（例えば赤色）等に変色して指示するようにしてもよい。
【００２９】
反復記号表示部３２には、反復して演奏する場所が符号「‖:」、「:‖」（反復記号）で示されている。従って、図３（Ｂ）では、ブロック１の第２小節に係る部分と、ブロック２及びブロック３の第３小節及び第４小節に係る部分とが反復して演奏される。尚、図３（Ｂ）では、反復する回数が表示されていないが、反復する回数についても所定の設定により表示することができる。
【００３０】
マーカー表示部３３には、ブロックの任意の位置が符号「▼」（マーカー）で示されている。図３（Ｂ）では、マーカーが第３小節及び第６小節の先頭に貼られている。マーカーは、例えば、イントロやテーマの始まりなど、編集上、印を付けておきたいところに作ることで、目印になり、さらに、マーカーを操作子１３、例えばマウスでクリックするだけで、その位置にジャンプできるようになり、編集の効率化を図ることができるものである。
【００３１】
テンポ表示部３４には、楽曲のテンポを設定するための数字「１２０．００」「１００．００」が示されている。テンポは「１分間に入る４分音符の数」を指定する。図３（Ｂ）では、第１小節及び第２小節がテンポ１２０で演奏され、第３小節以降がテンポ１００で演奏される。
【００３２】
拍子表示部３５には、楽曲の拍子を設定するための数値「４／４」「６／８」が示されている。図３（Ｂ）では、第１〜第４小節が４／４拍子で演奏され、第５小節以降が６／８拍子で演奏される。
【００３３】
上述した各表示部の符号や数値は、その符号や数値が表示されている部分に操作子１３、例えばマウスを合わせて、該マウスを左クリックすることで、再編集することができる。
【００３４】
また、小節番号表示部３０に操作子１３、例えばマウスを合わせて、マウスを右クリックすると、図３（Ｂ）に示すようにメニュー３６が表示される。このメニュー３６の「表示フィルター」のサブメニューで、マスタートラック表示部２０に含まれるループ表示部３１、反復記号表示部３２、マーカー表示部３３、テンポ表示部３４及び拍子表示部３５を表示するか否かを設定することができる。図３（Ｂ）では、ループ表示部３１、反復記号表示部３２、マーカー表示部３３、テンポ表示部３４及び拍子表示部３５を全て表示しているため、サブメニューの「ループ」、「反復」、「マーカー」、「テンポ」及び「拍子」の全ての項目のチェックがオンになっているが、例えば、「ループ」の項目のみ、チェックがオンにされている場合には、ループ表示部３１のみが表示される。従って、楽曲データの編集や作成の作業時に、ユーザが必要に応じてメニュー３６の「表示フィルター」のサブメニューの項目のチェックをオン／オフすることで、マスタートラック表示部２０に含まれる各表示部の表示／非表示を設定することができる。
【００３５】
以上説明したように、本実施の形態に係るシーケンスソフトでは、反復記号、マーカー及びループ等の複数の情報を混在表示せずに、それぞれの情報を別々の表示部を設けて表示するので、それぞれの情報が識別し易くなり、楽曲データの作成や編集を行う際に、ユーザビリティの向上を図ることができるという効果を奏する。
【００３６】
また、ＣＰＵ２がマスタートラック表示部２０に含まれる各表示部が表示されているか否かを判別し、該判別の結果、各表示部が表示されている場合には、該表示部に表示されているデータのみが楽曲データの再生時に有効に機能するようにし、該判別の結果、各表示部が表示されていない場合には、各表示部に対応するマスタートラックデータが楽曲データの再生時に機能しないようにしてもよい（即ち、表示されているマスタートラック中のデータは処理するが、表示されていないデータは処理しないで無視する）。これにより、楽曲データの再生時に有効に機能するマスタートラックデータを各表示部の表示／非表示により簡単に指定することができる。
【００３７】
図４は、本実施の形態に係るシーケンスソフトを起動させてから終了するまでに実行される処理動作を示すフローチャートである。
【００３８】
まず、シーケンスソフトを起動させたときに、表示装置１４の初期表示画面にユーザに選択された楽曲データの内容を表示する（ステップＳ１）。このとき、表示装置１４の表示画面にはマスタートラック表示部２０が表示されていても、非表示にされていてもよい。
【００３９】
次に、マスタートラック表示部２０に含まれるループ表示部３１の表示を開始させる指示があるか否かを判別する（ステップＳ２）。ループ表示部３１の表示を開始させる指示とは、具体的には、上述した図３（Ｂ）に示したメニュー３６の「表示フィルター」のサブメニューの「ループ」項目のチェックをオンにすることである。
【００４０】
ステップＳ２の判別の結果、ループ表示部３１の表示を開始させる指示がある場合には、選択中の楽曲データのマスタートラックデータ内からループポイントデータを検出する（ステップＳ５）。次いで、マスタートラック表示部２０に含まれるループ表示部３１を表示し（ステップＳ６）、ステップＳ５で検出されたループポイントデータをループ表示部３１上に表示して（ステップＳ７）、ステップＳ８に進む。尚、上記ステップＳ５において、ループポイントデータが検出されないときには、ステップＳ７ではループ表示部３１のみが表示される。
【００４１】
上記ステップＳ２の判別の結果、ループ表示部３１の表示を開始させる指示がない場合には、ループ表示部３１の表示を終了させる指示があるか否かを判別し（ステップＳ３）、ループ表示部３１の表示を終了させる指示がある場合には、ループ表示部３１の表示を終了し（ステップＳ４）、ステップＳ８に進む一方、ループ表示部３１の表示を終了させる指示がない場合には、ステップＳ４をスキップして、ステップＳ８に進む。
【００４２】
以上のステップＳ２〜ステップＳ７における処理では、ループ表示部３１の表示／非表示の処理が行われている。
【００４３】
次に、マスタートラック表示部２０に含まれる反復記号表示部３２の表示を開始させる指示があるか否かを判別する（ステップＳ８）。反復記号表示部３２の表示を開始させる指示とは、具体的には、上述した図３（Ｂ）に示したメニュー３６の「表示フィルター」のサブメニューの「反復記号」項目のチェックをオンにすることである。
【００４４】
ステップＳ８の判別の結果、反復記号表示部３２の表示を開始させる指示がある場合には、選択中の楽曲データのマスタートラックデータ内から反復記号データを検出する（ステップＳ１１）。次いで、マスタートラック表示部２０に含まれる反復記号表示部３２を表示し（ステップＳ１２）、ステップＳ１１で検出された反復記号データを反復記号表示部３２上に表示して（ステップＳ１３）、ステップＳ１４に進む。尚、上記ステップＳ１１において、反復記号データが検出されないときには、ステップＳ１３では反復記号表示部３２のみが表示される。
【００４５】
上記ステップＳ８の判別の結果、反復記号表示部３２の表示を開始させる指示がない場合には、反復記号表示部３２の表示を終了させる指示があるか否かを判別し（ステップＳ９）、反復記号表示部３２の表示を終了させる指示がある場合には、反復記号表示部３２の表示を終了し（ステップＳ１０）、ステップＳ１４に進む一方、反復記号表示部３２の表示を終了させる指示がない場合には、ステップＳ１０をスキップして、ステップＳ１４に進む。
【００４６】
以上のステップＳ８〜ステップＳ１３における処理では、反復記号表示部３２の表示／非表示の処理が行われている。
【００４７】
ステップＳ１４では、ステップＳ２〜ステップＳ７におけるループ表示部３１の表示／非表示の処理及びステップＳ８〜ステップＳ１３における反復記号表示部３２の表示／非表示の処理を除いた、その他の処理が行われる。具体的には、まず、マーカー表示部３３、テンポ表示部３４及び拍子表示部３５の表示／非表示の処理がある。これらの処理もステップＳ２〜ステップＳ７又はステップＳ８〜ステップＳ１３の処理と同様に行われるので、その説明は省略する。
【００４８】
また、上記その他の処理としては、マスタートラックデータの入力や編集を行う処理及び楽曲データを再生する処理等がある。楽曲データを再生する処理では、演奏イベントデータ等を読み出して楽音を発音するが、この際、マスタートラックデータが楽音の発音に反映される。
【００４９】
ステップＳ１４の処理後、シーケンスソフトの起動を終了させる指示があるか否かを判別し（ステップＳ１５）、シーケンスソフトの起動を終了させる指示がない場合には、ステップＳ２に戻る一方、シーケンスソフトの起動を終了させる指示がある場合には、本シーケンスソフトの起動を終了する。
【００５０】
上述したように、本実施の形態によれば、任意の表示部の表示開始指示を出すことで、表示させたいデータの種類を選択し（ステップＳ２、ステップＳ８）、該選択された種類のデータをマスタートラックデータから検出し（ステップＳ５、ステップＳ１１）、該選択された種類のデータを表示するための表示部を表示し（ステップＳ６、ステップＳ１２）、上記検出されたデータをこの表示された表示部上に表示する（ステップＳ７、ステップＳ１３）ので、複数のデータを混在表示せずに、それぞれの表示させたいデータを別々の表示部を設けて表示するので、それぞれのデータが識別し易くなり、楽曲データの作成や編集を行う際に、ユーザビリティの向上を図ることができるという効果を奏する。
【００５１】
また、表示不要のデータ及び該データの表示部は、表示をしない（ステップＳ４、ステップＳ１０）ので、ユーザは必要なデータだけを的確に認識できるようになるという効果を奏する。
【００５２】
上記実施の形態では、図２に示したように、楽曲データ中にマスタートラックデータが記録されているが、このマスタートラックデータは楽曲データ中に記録されていなくてもよく、別ファイルに記録されていてもよい。但し、別ファイルに記録される場合には、トラックデータとマスタートラックデータとのファイル間で関連付けをして、対応関係をとる。
【００５３】
また、上記実施の形態では、楽曲データはＳＭＦで構成されていたが、楽曲データのフォーマットは従来から知られているものであれば、どのようなものでもよい。また、各トラックデータに反映して楽曲データ全体を制御する全体制御データはマスタートラックに一括して格納されているものに限らず、混在記録されているものでもよい。混在記録されている場合には、それぞれのデータに付加されているステータスデータ（そのデータの種類を表すデータ）を参照して、選択された種類（表示したい種類）のデータを楽曲データ全体から検出する。
【００５４】
さらに、上記実施の形態では、図３（Ｂ）に示すように、マスタートラック表示部２０に含まれる各表示部はトラック行の最上位置に表示されていたが、これらの表示位置はトラック行の最上位置でなくてもよい。例えば、最下位置でもよいし、トラック行間でもよい。マスタートラック表示部２０に含まれる各表示部に表示されるデータは、時間軸に沿って楽曲データの進行に対応して表示されていればよい。
【００５５】
また、マスタートラック表示部２０に含まれる各表示部は、固定位置に表示されるにとどまらず、表示指示された順で表示していくようにしてもよいし、各表示部毎に表示位置を移動できるようにしてもよい。
【００５６】
また、上述した実施の形態の機能は、ソフトウェアであるプログラムの形態によっても実現することができ、これにより、本発明の目的が達成されることは云うまでもない。
【００５７】
更にまた、上述した実施の形態の機能を実現するソフトウェアのプログラムコードを記録した記憶媒体をコンピュータに供給し、そのコンピュータ（またはＣＰＵ）が記憶媒体に格納されたプログラムコードを読出し実行することによっても、本発明の目的が達成されることは云うまでもない。
【００５８】
尚、本実施の形態の楽曲データ表示装置は、上述したように、標準的なハードウェア構成の汎用パーソナルコンピュータ（ＰＣ）上に実現するようにしたが、これに限らず、例えば、モバイルＰＣ上に実現するようにしてもよい。さらに、ゲーム装置、携帯電話等の携帯型通話端末などに適用してもよい。
【００５９】
【発明の効果】
以上詳細に説明したように、請求項１記載の楽曲データ表示装置及び請求項２記載の楽曲データ表示プログラムによれば、選択手段が複数種類の全体制御データの中から表示する全体制御データの種類を選択し、表示部表示手段が複数の全体制御データの種類毎に設けられた複数の表示部であって、選択手段による表示する全体制御データの種類の選択に応じて、該選択に対応する表示部が表示されるよう制御されるものを表示し、検出手段が選択された種類の全体制御データを楽曲データから検出し、データ表示手段が検出された全体制御データを当該全体制御データの種類に対応する表示部上に表示するので、複数のデータを混在表示せずに、それぞれ表示させたいデータを別々の表示部を設けて表示することができる。その結果、それぞれのデータが識別し易くなり、楽曲データの作成や編集を行う際に、ユーザビリティの向上を図ることができるという効果を奏する。
【図面の簡単な説明】
【図１】  本発明の実施の形態に係る楽曲データ表示装置の概略ハードウェア構成を示すブロック図である。
【図２】  本発明において採用する楽曲データのデータ構成を概念的に示すブロック図である。
【図３】  ＰＣ１においてシーケンスソフトを起動したときの表示装置１４の表示画面の例を示す図であり、（Ａ）はマスタートラック表示部２０が表示されず、小節番号表示部３０のみが表示されている例を示し、（Ｂ）はマスタートラック表示部２０に含まれるループ表示部３１、反復記号表示部３２、マーカー表示部３３、テンポ表示部３４及び拍子表示部３５が表示されている例を示す。
【図４】  本実施の形態に係るシーケンスソフトを起動させてから終了するまでに実行される処理動作を示すフローチャートである。
【図５】  従来のシーケンスソフトの表示例を示す図である。
【符号の説明】
１  ＰＣ
２  ＣＰＵ（選択手段、検出手段、判別手段、再生手段）
３  ＲＡＭ
４  ＲＯＭ
６  操作回路
７  表示回路
８  音源回路（再生手段）
１４  表示装置（表示部表示手段、データ表示手段）
【図１】
0003767687.tif 000002
【図２】
0003767687.tif 000003
【図３】
0003767687.tif 000004
【図４】
0003767687.tif 000005
【図５】
0003767687.tif 000006